(57)【特許請求の範囲】
【請求項１】
火災センサの出力値に基づき火災を検出する火災検出部と、
ガス検出センサからの出力値に基づき複数種のガス漏れを検出するガス検出部と、
上記火災検出部の出力値が予め定めた火災と判断する閾値を越えたときまたは上記ガス検出部の出力値がガス漏れと判断する閾値を越えたとき警報信号を発生する警報判断部と、
上記警報判断部からの警報信号に基づいて、火災及びガス検出を音声で告知する音声警報部と、
この音声警報部が出力する音声を制御する音声制御部と
を備えた火災ガス漏れ警報器において、
上記警報判断部が火災またはガス漏れが発生したと判断した後に、上記火災検出部からの出力値と上記ガス検出部からの複数種のガス検出の出力値のうち上記閾値を越えた出力値の数及び各出力値の上昇率から異常事態に対する即時対応の必要性を示す緊急度をランク付けする判断をし、
上記音声制御部は上記警報判断部の判断結果に基づいて音声警報部の発生する音声を緊急度の違いにより異なる緊急度を示す音声内容の音声合成音で警告を告知制御する火災ガス漏れ警報器。
【請求項２】
前記音声制御部はさらに、緊急度が高い判断のときほど、音声警報の音量が大きくなる制御を行う請求項１に記載の火災ガス漏れ警報器。
【請求項３】
前記音声制御部はさらに、音声警報部に緊急度の違いにより異なる音質の音声合成音で警告を告知させる請求項１又は請求項２記載の火災ガス漏れ警報器。
【請求項４】
前記音声制御部は緊急度が変化すれば、一旦出力された音声が該緊急度に応じて可変する請求項１から請求項３のいずれか１項に記載の火災ガス漏れ警報器。
【発明の詳細な説明】
【０００１】
【発明の属する技術分野】
本発明は火災ガス漏れ警報器に係り、特に火災を検出する火災検出部と、ガス漏れを検出するガス検出部と、各検出部の出力が予め定めた閾値を越えたとき警報信号を発生する警報判断部と、上記警報判断部からの警報信号に基づいて、火災及びガス検出を音声で告知する音声警報部と、この音声警報部が出力する音声を制御する音声制御部とを備えた火災ガス漏れ警報器に関する。
【０００２】
【従来の技術】
近年家庭内での都市ガスの検知と火災による熱や煙を検知する機能を備えた火災及びガス漏れ複合型警報器（火災ガス漏れ警報器）の開発が進められている。
【０００３】
このような火災ガス漏れ警報器にあっては、ガス検知器としては、都市ガスや一酸化炭素を検知して警報するだけでよいが、火災検知器としては、火災による煙を検知する煙探知器、火災による熱を検知する熱検知器等があり、例えば調理による煙や水蒸気が出る台所については誤報の少ない熱検知器を使用することが提案され、一方居間や寝室のように火気の少ない場所については、検知性能のよい煙検知を使用することが提案されている。
【０００４】
そして、このような火災ガス漏れ警報器にあっては、警報器のＬＥＤ等の表示灯を設け、これらのセンサの出力から、火災やガス漏れを表示灯の点灯や点滅で表示するほか、ブザーやベルあるいは合成音声で火災やガス漏れをするものがある。
【０００５】
【発明が解決しようとする課題】
しかしながら、上述した従来の火災ガス漏れ警報器にあっては、音声による警報は、単一の警報および各警報の組み合わされた複合型の警報が存在するが、このような警報だけでは、ガス漏れや火災の緊急度が分からないという問題がある。
【０００６】
また、音声警報のレベルが小さいものであると、人が火災ガス漏れ警報器の設置場所から離れたところにいるときには、緊急度を要する警報を聞き逃すおそれがある。
【０００７】
更に、一般に火災ガス漏れ警報器は住宅用として使用されることが多く、老人や難聴者であっても警報が聞き取れるようにすることが望まれる。
【０００８】
従来煙濃度や温度の変化に応じて、ブザーの音量を変化させるたり、暫時警告音声を増加させる火災警報器も提案されているが、このような火災警報器は、単純な煙の濃度や温度の値に応じて、音量を変えるだけであり、緊急度という観点に基づいて警告音を変化させているものではない（特開平１１−３２８５５３号公報参照）。
【０００９】
一方、常に警報音量を非常に大きなものとして、家中に警告音が響くようにすることも考えられるが、非火災報や他の要因によるガス漏れ検知(誤動作)であっても大音量で警報がなされると、住人を驚かせるばかりで、かえって火災ガス警報器の電源を落とされ、実火災や、ガス漏れを警報できなくなるという問題がある。更に、一般には、一度警報が発生すると、それよりも更に緊急な状態が検出されても、それを新たに報知する手段がない為に、新たな緊急状態が報知されることはないという問題がある。
【００１０】
そこで本発明は、緊急度に応じた適正な音声警告を発することができる火災ガス漏れ警報器を提供することを目的とする。
【００１１】
【課題を解決するための手段】
上記の課題は、以下の発明によって解決される。即ち、請求項１に記載の発明は、火災センサの出力値に基づき火災を検出する火災検出部と、ガス検出センサからの出力値に基づき複数種のガス漏れを検出するガス検出部と、上記火災検出部の出力値が予め定めた火災と判断する閾値を越えたときまたは上記ガス検出部の出力値がガス漏れと判断する閾値を越えたとき警報信号を発生する警報判断部と、上記警報判断部からの警報信号に基づいて、火災及びガス検出を音声で告知する音声警報部と、この音声警報部が出力する音声を制御する音声制御部とを備えた火災ガス漏れ警報器において、上記警報判断部が火災またはガス漏れが発生したと判断した後に、上記火災検出部からの出力値と上記ガス検出部からの複数種のガス検出の出力値のうち上記閾値を越えた出力値の数及び各出力値の上昇率から異常事態に対する即時対応の必要性を示す緊急度をランク付けする判断をし、上記音声制御部は上記警報判断部の判断結果に基づいて音声警報部の発生する音声を緊急度の違いにより異なる緊急度を示す音声内容の音声合成音で警告を告知制御する火災ガス漏れ警報器である。
【００１２】
請求項１に記載の発明によれば、火災検出部の出力とガス検出部の出力の組み合わせにより緊急度が判断され、音声制御部はこの緊急度に基づいて音声警報部の出力する音声警報を制御する。また、即時対応の必要性を示す緊急度に応じた内容の音声でその警報の内容を具体的に告知できるので、より警報の内容を理解することができる。
【００１３】
請求項２に記載の発明は、上記請求項１に記載の前記音声制御部は緊急度が高い判断のときほど、音声警報の音量が大きくなる制御を行う火災ガス漏れ警報器である。
【００１４】
請求項２に記載の発明によれば、緊急度が高いほど音声警報の音量が大きくなるため、緊急度の低い、即ち誤火災やガス漏れではない可能性が高い場合には小さな音量で、一方火災検出とガス漏れ検出の両方が検出されるような場合即ち実火災の可能性が高い場合には大音量の警報がなされ、確実に警報を告知する。
【００１５】
請求項３に記載の発明は、請求項１又は請求項２に記載の音声制御部は、音声警報部に緊急度の違いにより異なる音質の音声合成音で警告を告知させる火災ガス漏れ警報器である。請求項３に記載の発明によれば、緊急度に応じた内容の音声でその警報の内容を具体的に告知できるので、より警報の内容を理解することができる。
【００１６】
請求項４に記載の発明は、音声制御部は、緊急度が変化すれば、一旦出力された音声が該緊急度に応じて可変する火災ガス漏れ警報器である。
【００１７】
請求項４に記載の発明によれば、緊急度が変化すれば一旦出力された音量が該緊急度に応じて可変するので、例えば、緊急レベルが更に高まった場合でも更に音量が高まるので容易にその事態を認識できる。
【００２２】
【発明の実施の形態】
以下、本発明の実施の形態を図面に基づいて説明する。図１乃至図３は本発明に発明を実施する形態の一例である。
【００２３】
火災ガス漏れ警報器１０は、図１及び図２に示すように、１つの筐体中に火災検出部１１、ガス検出部としてＣＯ検出部１２及びＣＨ4検出部１３、表示部１４、音声警報部１５、及び制御部２０を備える。
【００２４】
火災センサ検出部は例えば熱センサや煙センサであり、必要に応じて適切な種類のものが用いられる。また、ＣＯ検出部１２及びＣＨ4検出部１３は本例では１台の半導体ガスセンサであり、CH4（メタン）やCOを異なったタイミングで検出するものである。
【００２５】
さらに、表示部１４は例えば４つのLEDを配置したものであり、それぞれ電源灯３１、火災警告灯３２、CH4警告灯３３、CO警告灯３４として作動する。音声警報部１５は、本例ではスピーカであり、警告音、合成音声が出力される。
【００２６】
制御部（CPU）２０は、各センサ１１，１２、１３からの出力を所定の閾値と比較して、火災警報信号、ＣＯ検出信号、ＣＨ4検出信号を測定する出力測定部２２、出力測定部の出力に基づいて火災検出部からの出力値とガス検出部からの出力値の組み合わせで異常事態の緊急度をランク付けする判断をする警報判断部２１と、この警報判断部２１の判断結果に基づいて音声警報部１５の発生する合成音声警報部を選択あるいは音声合成を作成する音声制御部２４、及び出力される音声の大きさを変える音量調整部２５を備えている。
【００２７】
また，制御部２０は、上記故障出力判断部２１の出力信号に基づいて上記表示部１４のLEDを点灯、点滅させる表示制御部２３を備えている。なお、図中符号２５は装置の作動の基礎となる時刻を出力する時間管理部である。
【００２８】
本例に係る火災ガス漏れ警報器は、次のように作動する。先ず図３に基づいて火災ガス漏れ警報器１０の検出部１１、１２，１３が通常監視を行っているとき（S1）、火災警報（S2）ＣＯ検出（Ｓ３）、ＣＨ4の検出（Ｓ４）を順次行う。そして、警報判断部２１は全ての警報を検出したとき（Ｓ５）には緊急度レベル３を出力し（Ｓ６），２つの警報を検出したとき（Ｓ７）には緊急度レベル２を出力（Ｓ８）し，どれか一つの警報を検出したとき（Ｓ９）には緊急度レベル１（Ｓ１０）を出力する。
【００２９】
即ち，本例では、例えば、ＣＯ単一の警報よりも、例えば火災とＣＯの組み合わされた警報の方が、誤報である可能性も低く、緊急度も高いと判断される。また３つの警報が全てあった場合には緊急度は最高となる。各検出部で火災及びガスの何れもを検出しないときには通常監視状態を続行する。
以上の判断処理をまとめると表１の通りとなる。
【００３０】
【表１】
0003900804.tif 000002
【００３１】
上記例は、緊急度レベル設定の一例に過ぎない。他の実施例として、例えば、火災センサ、複数のガスセンサのうち一つでも閾値を越えれば、その同時刻の他のセンサの出力値も同時に参照し、他のセンサの出力値が閾値に近づいている場合緊急度レベル２と警報判断部にて判断してもよい。
【００３２】
そして、警報判断部２０からの緊急度レベルの値をうけ音声制御部２４で警告音を合成音声で出力し、及び音量調整部２５でその音量を調整する。この場合本例では，警告音は例えばブザー音，合成音声の何れでもよいが、例えば、緊急度レベルに応じてその出力音圧を以下の３レベルに設定するものとする。なおこの音圧レベルは適宜変更することができる。
【００３３】
緊急度レベル１：７０ｄＢ
緊急度レベル２：７５ｄＢ
緊急度レベル３：８０ｄＢ
【００３４】
また，本例では音声警報の内容を緊急度レベルに応じその内容を変えることもできる．例えば、台所で温度が上昇している場合緊急度レベルにより以下の内容の合成音声を発生するものとする。
【００３５】
緊急度レベル１：  台所で火災発生。確認して下さい。
緊急度レベル２：  台所で火災発生。至急確認して下さい。
緊急度レベル３：  台所で火災発生。大至急確認して下さい。
さらに、合成音声の内容と共にその音圧レベル、音質を変えることが望ましい
【００３６】
これにより、緊急度が高い場合には大きな音圧で、警報の具体的な内容を確実に告知することができる。
【００３７】
なお、上記例では，緊急度レベルを３つに設定してその内容によって音声警報の内容を変えるようにしたが、緊急度レベルの判断を温度の上昇率，ガス濃度の上昇率等を考慮して増やし、告知の内容も検出内容に合わせて変えることができる。また緊急度レベルの設定も上記例に限定されず、設置環境に応じて変えてもよい。更に、一旦設定された緊急度レベルも事後的に可変できるようにしてもよい。
【００３８】
【発明の効果】
以上説明したように本発明に係る火災ガス漏れ警報器によれば検知部の検出部の出力内容に基づいて緊急レベルを判断し．その緊急度に応じて音声警報の内容を変えるようにしたので、緊急レベルの高い場合ほど、音声警報が聞き取りやすく該緊急事態を正確且つ迅速に認識でき、更に、適切な対処行動を速やかにとることができるという効果を奏する。
【００３９】
また、本発明によれば、大音量で聞こえるほど誤報の確率が低いことになるので、警報器に対する需要者の信頼度を大幅に向上させることができるという効果を奏する。
【００４０】
即ち、請求項１に記載の発明によれば、火災検出部の出力とガス検出部の出力の組み合わせにより緊急度が判断され、音声制御部はこの緊急度に基づいて音声警報部の出力する音声警報を制御するので、緊急度に応じた適正な音声警報を発することができる。また、即時対応の必要性を示す緊急度に応じた内容の音声でその警報の内容を具体的に告知できるので、より警報の内容を理解することができる。
【００４１】
また、請求項２に記載の発明によれば、緊急度が高いほど音声警報の音量が大きくなるため、緊急度の低い、即ち誤火災やガス漏れではない可能性が高い場合には小さな音量で、一方火災検出とガス漏れ検出の両方が検出されるような場合即ち実火災の可能性が高い場合には大音量の警報がなされ、確実に警報を告知することができる。
【００４２】
請求項３に記載の発明によれば、緊急度に応じた内容の音声でその警報の内容を具体的に告知できるので、より警報の内容を理解することができる。
【００４３】
請求項４に記載の発明によれば、緊急度が変化すれば一旦出力された音量が該緊急度に応じて可変するので、例えば、緊急レベルが更に高まった場合でも更に音量が高まるので容易にその事態を認識できる。
【図面の簡単な説明】
【図１】実施の形態に係る火災ガス漏れ警報器の構成例を示すブロック図である。
【図２】実施の形態に係る火災ガス漏れ警報器の外観を示す平面図である。
【図３】実施の形態に係る火災ガス漏れ警報器の作動を示すフローチャートである。
【符号の説明】
１０  警報器
１１  火災検出部
１２  ＣＯ検出部
１３  ＣＨ4検出部
１４  表示部
１５  音声警報部
２０  制御部
２１  警報判断部
２２  出力測定部
２３  表示制御部
２４  音声制御部
２５  音量調整部
３１  電源灯
３２  火災警告灯
３３  ＣＯ警告灯
３４  ＣＨ4警告灯
【図１】
0003900804.tif 000003
【図２】
0003900804.tif 000004
【図３】
0003900804.tif 000005